(57)【要約】【課題】従来の家計簿の作成方法では、レシートを保管して記帳する作業や、パソコンに品名や金額を入力する作業が煩わしく不便であるという問題点があり、家計簿作成作業を不要とし、自動的に作成された家計簿を随時閲覧して家計状況を知ることができ、利便性を向上させることができる家計簿作成システムを提供する。【解決手段】レジスタ２が、客が店舗を利用した際に発生する購入情報を標準フォーマットに変換して近距離通信手段により携帯端末１に送信し、携帯端末１が購入情報を記憶してレシートを表示すると共に、ＩＤを付して購入情報をサーバ３に送信し、サーバ３がＩＤ毎に購入情報をデータベースに蓄積しておき、携帯端末１から家計簿の閲覧要求があった場合にＩＤ毎の購入情報を商品分類に従って集計して家計簿データを作成して出力し、客は携帯端末を用いて自己の家計簿を随時閲覧する家計簿作成システムである。【選択図】　　　　図６
2004086298.tif 000002
【特許請求の範囲】
【請求項１】
購入された商品に対応する品名と商品分類情報と購入金額情報とを備えた購入情報を予め定められたデータ構造に変換するデータ変換部と、購入者の個人情報を受信して前記購入情報を対応する購入者の端末に送信する送受信部とを有するレジスタを備え、
前記端末が、前記レジスタから受信した購入情報に基づいて表示を行い、又は購入した商品の品名と前記商品の購入金額を前記商品分類情報に従って分類した家計簿を作成して表示する端末であることを特徴とする家計簿作成システム。
【請求項２】
端末とネットワークを介して接続し、端末から購入者の個人情報を付して送信された購入情報を受信して、前記購入情報を前記識別番号に対応して記憶し、端末から個人情報が付された家計簿閲覧要求を受信した場合に、前記個人情報に対応して記憶されている購入情報に基づいて、購入された商品の品名と前記商品の購入金額を商品分類情報に従って分類し集計した家計簿データを作成して、前記端末に送信するサーバを備え、
前記端末が、前記サーバから送信された家計簿データを受信して前記家計簿データに基づいて家計簿を表示する端末であることを特徴とする請求項１記載の家計簿作成システム。
【請求項３】
購入者の個人情報を受信して、購入された商品に対応する店舗固有の識別情報と購入金額情報と購入した店舗を示す店舗情報を有する購入情報を、対応する購入者の端末に送信するレジスタと、
端末とネットワークを介して接続し、端末から購入者の個人情報を付して送信された購入情報を受信して、前記購入情報を前記識別番号に対応して記憶すると共に、
店舗情報と、店舗固有の商品の識別情報と、品名及び商品分類情報とを対応付けて記憶するデータベースを有し、
端末から個人情報が付された家計簿閲覧要求を受信した場合に、前記個人情報に対応して記憶されている購入情報に基づいて、前記商品の識別情報と前記店舗情報とを参照して前記データベースから対応する品名及び商品分類情報を特定し、前記品名と前記購入金額を前記商品分類情報に従って分類し集計した家計簿データを作成して、前記端末に送信するサーバとを備え、
前記端末が、前記サーバから受信した家計簿データに基づいて家計簿を表示する端末であることを特徴とする家計簿作成システム。
【発明の詳細な説明】
【０００１】
【発明の属する技術分野】
本発明は、携帯端末を用いたシステムに係り、特に店舗での購入情報に基づいて作成された家計簿を、携帯端末を用いて表示させることができ、家計簿作成の煩わしさがなく、利便性を向上させることができる家計簿作成システムに関する。
【０００２】
【従来の技術】
従来、家計簿を作成するには、店でのレジ精算の際に発券されるレシートを保管し、個人が家計簿のノートに記帳したり、パーソナルコンピュータに搭載されている家計簿作成ソフトを利用してレシートに基づいて項目や金額等を入力して家計簿を作成するようになっていた。
【０００３】
また、家計簿を作成する従来のシステムとしては、平成１３年１１月１６日公開の特開２０００−３１９０４４「購入情報電子化システム、購入情報転送装置、購入情報管理装置、購入情報処理装置、媒体、および情報集合体」（出願人：松下電器産業株式会社、発明者：柳澤玲互他）がある。
この従来技術は、顧客が個別のＩＤ番号を利用して行った購入行為により発生する購入情報を、ＩＤ番号と対応させて送信して記憶しておき、ＩＤ番号とアドレス情報との対応関係に基づいてＩＤ番号に対応するアドレス情報を調べ、購入情報を顧客側に電子データとして送信する購入情報電子化システムであり、これにより、購入情報の家計簿帳面への転記やコンピュータへのマニュアル入力を不要とするものである。
【０００４】
【発明が解決しようとする課題】
しかしながら、従来の家計簿の作成方法では、店舗におけるレジ精算の際に発券されるレシートを保管して記帳する作業や、パソコンに品名や金額を入力する作業が煩わしく不便であるという問題点があった。
【０００５】
本発明は上記実情に鑑みて為されたもので、レシートからノートへの転記や、パソコンへの入力等の煩わしい作業を不要とし、自動的に作成された家計簿を随時閲覧して家計状況を知ることができ、利便性を向上させることができる家計簿作成システムを提供することを目的とする。
【０００６】
【課題を解決するための手段】
上記従来例の問題点を解決するための本発明は、購入された商品に対応する品名と商品分類情報と購入金額情報とを備えた購入情報を予め定められたデータ構造に変換するデータ変換部と、購入者の個人情報を受信して購入情報を対応する購入者の端末に送信する送受信部とを有するレジスタを備え、端末が、レジスタから受信した購入情報に基づいて表示を行い、又は購入した商品の品名と商品の購入金額を商品分類情報に従って分類した家計簿を作成して表示する端末である家計簿作成システムとしており、購入者は、端末に店舗のレジスタから購入情報を受信すれば、購入明細を確認したり、自分で家計簿作成の作業を行うことなく端末上で家計簿を表示させて家計の状況を把握することができ、利便性を向上させることができる。
【０００７】
また、本発明は、端末とネットワークを介して接続し、端末から購入者の個人情報を付して送信された購入情報を受信して、購入情報を識別番号に対応して記憶し、端末から個人情報が付された家計簿閲覧要求を受信した場合に、個人情報に対応して記憶されている購入情報に基づいて、購入された商品の品名と前記商品の購入金額を商品分類情報に従って分類し集計した家計簿データを作成して、端末に送信するサーバを備え、端末が、サーバから送信された家計簿データを受信して家計簿データに基づいて家計簿を表示する端末である家計簿作成システムとしており、家計簿作成の処理をサーバで行うため携帯端末に特別な家計簿作成の手段を備えることなく携帯端末を用いて家計簿を閲覧でき、また、サーバで大量の購入情報を蓄積可能なため、長期間にわたって家計状況を管理することができる。
【０００８】
また、本発明は、購入者の個人情報を受信して、購入された商品に対応する店舗固有の識別情報と購入金額情報と購入した店舗を示す店舗情報を有する購入情報を、対応する購入者の端末に送信するレジスタと、端末とネットワークを介して接続し、端末から購入者の個人情報を付して送信された購入情報を受信して、購入情報を識別番号に対応して記憶すると共に、店舗情報と、店舗固有の商品の識別情報と、品名及び商品分類情報とを対応付けて記憶するデータベースを有し、端末から個人情報が付された家計簿閲覧要求を受信した場合に、個人情報に対応して記憶されている購入情報に基づいて、商品の識別情報と店舗情報とを参照してデータベースから対応する品名及び商品分類情報を特定し、品名と購入金額を商品分類情報に従って分類し集計した家計簿データを作成して、端末に送信するサーバとを備え、端末が、サーバから受信した家計簿データに基づいて家計簿を表示する端末である家計簿作成システムとしており、店は、レジスタに、店舗固有の商品の識別情報をシステム標準の識別情報に変換して購入情報のデータ構造を整える手段を設けなくてもシステムに参加でき、加盟店を増加させることができる。
【０００９】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１０】
本発明の家計簿作成システムは、客が店舗を利用した際に発生する購入情報を近距離通信手段により携帯端末に送信し、携帯端末が購入情報に含まれる分類に基づいて集計し、家計簿を作成して表示するものであり、客は、家計簿作成の作業を行わなくても携帯端末で簡単に家計の状況を把握することができ、利便性を向上させることができる。
【００１１】
また、本発明の家計簿作成システムは、店に設けられたレジスタが、客が店舗を利用した際に発生する購入情報を近距離通信手段により携帯端末に送信し、携帯端末が購入情報を記憶してレシートを表示すると共に、ＩＤを付して購入情報をネットワークを介してサーバに送信し、サーバがＩＤ毎に購入情報をデータベースに蓄積しておき、携帯端末から家計簿の閲覧要求があった場合にＩＤ毎の購入情報を分類に従って集計して家計簿データを作成して出力し、客は携帯端末を用いて自己の家計簿を自由に閲覧するものであり、自分で煩わしい記入作業やパソコンへの入力作業を行わなくても随時家計の状況を把握することができ、利便性を向上させることができるものである。
【００１２】
本発明の第１の実施の形態に係る家計簿作成システムについて説明する。
まず、本発明の第１の実施の形態に係る家計簿作成システム（第１のシステム）の概略構成について図１を用いて説明する。図１は、本発明の第１の実施の形態に係る家計簿作成システムの概略構成を示す説明図である。
図１に示すように、第１のシステムは、客（利用者、消費者）が携帯している携帯端末１と、客が利用する店（店舗）に設けられ、客が購入した商品の情報や受けたサービスの情報に基づいて精算処理を行って購入情報を作成するレジスタ２と、レジスタ２と専用線や公衆回線を介して接続され、商品情報を管理するＰＯＳシステム５とから構成されている。
【００１３】
第１のシステムでは、携帯端末１とレジスタ２とが近距離無線通信によって双方向の通信を行い、携帯端末１がレジスタ２に対してＩＤを送信し、レジスタ２からシステムで標準化された購入情報を受信するようになっている。そして、携帯端末１が、受信した購入情報に基づいてレシートの表示や家計簿の作成を行うものである。
【００１４】
各構成部分について具体的に説明する。
まず、携帯端末１の構成について図２を用いて説明する。図２は、第１のシステムにおいて用いられる携帯端末１の構成を示す構成ブロック図である。
図２に示すように、携帯端末１は、レジスタ２と近距離無線通信を行う送受信部１１と、データを表示する表示部１２と利用者が操作する入力キーを備えた入力部１３と、通信制御や表示制御といった装置全体の制御を行う制御部１４と、制御部１４における処理プログラムやレジスタ２から送信されたデータを記憶するメモリ１５と、電気信号を音声に変換して出力するスピーカ１６と、高周波無線信号の送受信を行って移動通信網に接続する通信部１７と、入力された音声を電気信号に変換するマイク１８とから構成されている。
【００１５】
送受信部１１としては、赤外線通信を行うＩｒＤＡインタフェースや、特定周波数による近距離無線通信インタフェースが考えられる。
また、例えば特定周波数でＩＤを送信するＩＣチップを携帯端末１に埋め込み、レジスタ２において受信して読み取るようにしてもよい。
【００１６】
そして、第１のシステムの特徴として、制御部１４に家計簿作成手段が設けられている。家計簿作成手段は、本システムにおける標準フォーマットの購入情報を受信して、家計簿を作成するものである。具体的には、家計簿作成手段は、レジスタ２から送信された購入情報に含まれる日時と品名と商品分類と金額のデータに基づいて品名を分類し、金額を集計し、家計簿を作成するものである。
金額の集計方法としては、品名を商品分類に従って分け、支出合計を１日、１週間、１月といった単位で集計したり、食費、服飾費、教育費といった商品分類に基づいた項目毎に集計することが考えられる。
【００１７】
次に、レジスタ２の構成について図３を用いて説明する。図３は、本発明の第１の実施の形態に係るレジスタ２の構成ブロック図である。
図３に示すように、レジスタ２は、携帯端末１と赤外線通信や近距離無線通信により直接通信を行う送受信部２１と、制御部２４から入力された金額や分類等のデータに基づいて本システムにおける標準フォーマットの購入情報に変換するデータ変換部２２と、バーコードリーダやテンキーを備え、店員が通常の精算操作を行う入力部２３と、通信制御や表示制御等装置全体の制御を行う制御部２４と、制御部２４における処理プログラム等を記憶する記憶部２５と、購入情報等を表示する表示部２６と専用線又は他のネットワークを介してＰＯＳシステム５との送受信を行う通信部２７とから構成されている。
【００１８】
そして、本システムの特徴として、レジスタ２の制御部２４は、入力部２３から入力された情報とＰＯＳシステムから受信した商品情報とに基づいて購入明細データを作成するものである。具体的には、入力部２３から入力されたバーコードに基づいて、ＰＯＳシステム５から商品名と単価及び分類を読み出し、入力部２３からの数量を掛け、小計を計算し、小計に対する税金を算出して、更に小計と税金とを足して合計金額を算出する処理を行うものである。
【００１９】
また、データ変換部２２は、購入情報が店毎に異なるデータ構成とならないよう、制御部２４から入力された購入明細データを標準フォーマットに変換して送受信部２１に出力するものである。具体的には、データ変換部２２は、制御部２４から入力された購入明細データにシリアルナンバーや店名を付して標準フォーマットに変換するものである。
【００２０】
また、当該店舗に商品情報を提供するＰＯＳシステム５における商品分類が、本システムで用いている商品分類と異なる場合には、データ変換部２２に店側の分類をシステム側の分類に対応付ける対応テーブルを備えておき、制御部２４から購入明細データが入力されると、商品分類をシステム側の分類に合わせて変換してから、標準フォーマットに変換するようにしている。
【００２１】
ここで、レジスタ２から携帯端末１に送信される購入情報のデータフォーマットについて図４を用いて説明する。図４は、第１のシステムのレジスタ２から携帯端末１に送信される購入情報のデータフォーマットを示す説明図である。
図４に示すように、第１のシステムにおいてレジスタ２から携帯端末に直接送信される購入情報４０は、通常のレシートを構成している情報が含まれたものであり、購入情報のシリアルナンバーを記憶するシリアルナンバーフィールド４１と、購入情報の発行日時（精算された日時）を記憶する日付フィールド４２と、店の識別情報を記憶する店舗フィールド４３と、利用明細に相当する購入明細を記憶する購入明細フィールド４４と、購入した商品又はサービスの合計金額を記憶する合計フィールド４５と、店側が自由に使うことができるユーザフィールド４６とから構成されている。
【００２２】
シリアルナンバーフィールド４１に記憶されているシリアルナンバーは、当該店が発行した購入情報の識別番号であって、店が管理しており、店ではシリアル番号と購入した客の識別番号（ＩＤ）とを対応付けて記憶しているものである。客はシリアルナンバーを用いて店に対して問い合わせることが可能である。
【００２３】
また、店舗フィールド４３に記憶されている店の識別情報は、店舗毎に割り当てられる番号であり、全国のあらゆる店舗を一意に特定できるものが望ましい。ユーザフィールド４６に記憶する情報としては、例えば、店のロゴ、住所や電話番号、レジ担当者名、購入金額に応じたポイント数等が考えられる。
【００２４】
更に、購入明細フィールド４４は、複数のサブフィールドから構成されており、サブフィールドとしては、店側が自由に使える第２のユーザフィールドと、品名を記憶する品名フィールドと、商品分類を記憶する商品分類フィールドと、単価を記憶する単価フィールドと、購入個数を記入する数量フィールドとが設けられている。
【００２５】
品名フィールドは固定長フィールドとしてもよく、品名は商品を識別できる名称であれば、必ずしも商品の正式名称にしなくてもよい。
商品分類フィールドは、商品を食品、日用品、文化用品などに分類したコードを記憶するものであり、分類コードとしては、例えば、ＪＩＣＦＳ（ＪＡＭ　Ｉｔｅｍ　Ｃｏｄｅ　Ｆｉｌｅ　Ｓｅｒｖｉｃｅ）の商品分類コードを用いる。ここで、分類はシステムにおいて統一されたものヲ記憶しており、レジスタ２のデータ変換部で個々のＰＯＳにおける分類コードをシステムの標準コードに変換して商品分類フィールドに記憶するようにしている。
【００２６】
また、合計フィールド４５は、サブフィールドとして、購入商品の合計金額である小計を記憶する小計フィールドと、小計に対する税金を記憶する税フィールドと、小計と税金との合計を記憶する合計フィールドと、領収金額を記憶する領収金額フィールドとを備えている。
第２のユーザフィールドは、例えば商品毎にポイントを与える場合などに累積ポイントを記憶するものを記憶しておくものである。
【００２７】
次に、第１のシステムの動作について図１、図２、図３を用いて説明する。
まず、客が店で買い物をしたりサービスを受けたりして精算する場合に、店員は通常の精算作業と同様に、レジスタ２に、購入商品のバーコードを入力し、更に購入商品の数量を入力する。バーコードがない場合には単価や数量を入力する。
【００２８】
レジスタ２の制御部２４は、上述したように、入力部２３から入力されたバーコードを、５からの商品情報に基づいて商品名と単価及び分類を読み取って購入明細データとして保持する。
【００２９】
更に制御部２４は、内部に設けられた時計から日時を読み取り、購入明細データに販売日時を付して、表示部２６に表示する。このとき、客に購入情報の確認をしてもらい、承認された場合には、客は携帯端末１をレジスタ２の送受信部２１にかざす。そして、客が入力部１３からＩＤ送信の指示を入力すると、携帯端末１の制御部１４は、メモリ１５に記憶されている自己のＩＤを送受信部１１を介して赤外線通信でレジスタ２に送信する。
【００３０】
レジスタ２では、携帯端末１からのＩＤを受信すると、予め記憶されているシーケンスに従って、制御部２４が、購入明細データをデータ変換部２２に出力する。
【００３１】
データ変換部２２では、必要があれば商品分類の変換を行って、制御部２４から入力された購入明細データを図４に示した購入情報の標準フォーマットに変換して、送受信部２１に出力し、送受信部２１から赤外線通信で携帯端末１に送信する。
携帯端末１の送受信部１１では、受信した購入情報をメモリ１５に記憶しておく。
【００３２】
レジスタ２では、送受信部２１で携帯端末からのＩＤを受信すると、制御部２４は購入情報のシリアルナンバーと当該客のＩＤとを対応付け記憶しておく。そして、客からの問い合わせに備えて一定期間保存しておくものである。また、商品販売状況の情報として、ＰＯＳシステム５に送信し、ＰＯＳシステム５において顧客毎の販売状況を管理するようにしてもよい。
【００３３】
そして、本システムの特徴として、携帯端末１では、購入情報を受信すると、制御部１４が、購入情報を予め記憶されているレシートのフォーマットにはめ込んで、利用店舗名、電話番号、購入品、単価、数量、小計、税、合計を含むレシートを表示する。１画面に表示しきれない場合にはスクロール表示する。これにより、店は、紙のレシートを発行しなくて済み、コスト削減を図ることができるものである。
【００３４】
更に、第１のシステムの特徴として、携帯端末１の入力部１３からメニュー選択等で家計簿表示の指示が入力されると、携帯端末１の制御部１４の家計簿作成手段が、メモリ１５に記憶されている購入情報に基づいて、購入明細データを分類し、分類毎に合計金額を算出し、１ヶ月毎の支出を算出して家計簿を作成し、表示する。レジスタ２から受信した購入情報は受信順にメモリ１５の設定されたエリアに記憶しておき、順次上書きされるようになっている。
【００３５】
そして、家計簿作成手段は、入力部１３から選択された項目に応じて、例えば食費、服飾費、光熱費といった具合に集計して、明細情報及び合計を表示するものである。本システムでは、予め商品分類データと項目とを対応付けて記憶しており、購入情報に含まれる「品名、金額（単価×数量）」の組毎に、対応する「分類」のデータに基づいて項目毎に振り分け、日にち毎、また項目毎の集計を行うようにしている。
【００３６】
項目毎の表示にすると、表示スペースが小さくて済むのに加えて、いつ、何を購入して、今月の今までの当該項目に関する支出はいくらであったか、といったことが一目で分かるためこづかい帳代わりに使うことができ、便利である。
【００３７】
また、項目別ではなく、日付毎に集計することも可能であり、この場合には家計簿作成手段が日付毎の購入情報を集計して、購入品や金額を表示する。このようにすれば、旅行やショッピング等、浪費しがちな場合でも、お金を使って直ぐにその日の支出合計を知ることができるため、計画的に使うことへの意識が高まり浪費を防ぐことができ、便利である。
【００３８】
更に、項目毎の１月の予算（購入可能金額）や、１日毎の予算を入力しておいて、表示の際に予算に対する実際の購入金額の超過や不足を算出して表示するようにしてもよい。
尚、収入については、携帯端末１のメニューから「家計簿作成」「データ入力」「収入」等のメニューを選択して、従来と同様に入力部から入力する。
【００３９】
本発明の第１の実施の形態に係る家計簿作成システムによれば、店に設けられたレジスタ２から購入品のバーコードや数量が入力されると、レジスタ２の制御部２４が、ＰＯＳシステム５の商品情報に基づいて購入品の商品名や単価及び商品分類を読み出して、購入明細データを作成して表示し、更に入力部２３から近距離直接通信による送信の指示が入力されると、購入明細データをデータ変換部２２に出力し、データ変換部２２が、購入明細データをシステムで規定された標準フォーマットの購入情報に変換して送受信部２１から近距離直接通信で携帯端末１に送信すると共に携帯端末１からＩＤを受信し、携帯端末１が購入情報を受信してレシート形式で表示してメモリ１５に記憶しておき、入力部１３からの指示に従って制御部１４の家計簿作成手段が分類毎に購入情報を集計して家計簿データを作成し、指定された項目毎に支出金額を表示するようにしているので、客は煩わしい家計簿作成の作業を行うことなく携帯端末１を用いて容易に家計の状況を知ることができ、利便性を向上させることができる効果がある。
【００４０】
また、第１のシステムによれば、レジスタ２のデータ変換部２２が、店舗によって異なる可能性がある商品分類を標準の分類コードに変換し、標準フォーマットに従って購入情報のデータを変換するようにしているので、携帯端末１が受信する購入情報はどこの店のものであっても標準の形式とすることができ、携帯端末１におけるレシート表示や家計簿作成の処理を容易にする効果がある。
【００４１】
更に、第１のシステムによれば、買い物をした直後でも、見たいときに最新の家計簿情報を表示させることができ、リアルタイムで家計の状況を知ることができるので、使いすぎや項目毎の偏りを修正していくことが可能であり、計画的にお金を使うことができ、家計管理に大いに役に立つ効果がある。
【００４２】
次に、本発明の第２の実施の形態に係る家計簿作成システム（第２のシステム）について説明する。
上述した第１のシステムでは、携帯端末がレジスタから購入情報を受信して、携帯端末の制御部に設けられた家計簿作成手段が家計簿を作成して表示するようにしているが、第２のシステムでは、家計簿を作成する手段を備えたサーバを設け、サーバが携帯端末１から受信した購入情報を記憶しておき、携帯端末又は他の端末からの指示で随時家計簿データを作成して閲覧可能とするものであり、携帯端末の処理を軽減することができるものである。
【００４３】
第２のシステムの構成について図５を用いて説明する。図５は、本発明の第２の実施の形態に係る家計簿作成システム（第２のシステム）の構成ブロック図である。
図５に示すように、第２のシステムは、図１に示した第１のシステムにも設けられていた、客が携帯する携帯端末１と、客が利用する店に設けられたレジスタ２と、携帯端末１とインターネット等のネットワークを介して接続するサーバ３と、レジスタ２と専用線や他のネットワークを介してし接続するＰＯＳシステム５とから構成されている。
【００４４】
上記構成部分の内、携帯端末１、レジスタ２及びＰＯＳシステム５の構成は第１のシステムとほぼ同様であるため同一の符号を付して説明するが、携帯端末１は必ずしも制御部１４に家計簿作成手段を備えている必要はない。また、第１のシステムと同様に、携帯端末１とレジスタ２とは、ネットワークを介さずに直接通信を行う手段を備えているものである。
【００４５】
第２のシステムの構成部分について具体的に説明する前に、第２のシステムにおけるデータの授受及び動作について図６を用いて説明する。図６は、第２のシステムにおける各構成部分のデータの授受を示す説明図である。
図６に示すように、客が店を利用して商品を購入したりサービスを受けた場合に、第１のシステムと同様に、レジスタ２が商品名、分類コード、単価、数量を含む購入情報を作成して、携帯端末１から送受信部２１を介してＩＤを受信すると、購入情報を送受信部２１を介して携帯端末１に送信する。ここで、購入情報は、第１のシステムと同様にデータ変換部２２によって標準フォーマットに変換された購入情報であり、図４に示したフォーマットとなっている。
【００４６】
そして、携帯端末１では、第１のシステムと同様にレジスタ２から購入情報を受信すると、購入情報に基づいてレシートを表示してメモリ１５に記憶し、レジスタ２では、購入情報のシリアルナンバーと客のＩＤとを対応付けて記憶部２５に記憶しておく。
【００４７】
第２のシステムの特徴として、客は、携帯端末１のインターネット接続モードを用いて家計簿作成サービスを行うサーバ３にアクセスし、自己のＩＤを付してレジスタ２から受信した標準化された購入情報を登録する。ここで、本発明の特徴として、客は、自分の購入情報を自発的にサーバ３に登録するものであり、個人的な情報が知らない間にシステム側でやり取りされる恐れはなく、安心して利用できるものである。
【００４８】
サーバ３では、データベース（図示せず）にＩＤ毎の購入情報を蓄積しておき、携帯端末１１から家計簿閲覧の指示が入力された場合に、当該ＩＤに対応する購入情報に基づいて分類コードに基づいて項目毎の支出や収入を算出し、一定期間例えば１ヶ月毎の家計簿データを作成して要求元に送信する。
これにより、第２のシステムでは、家計簿作成の作業を行わなくても家計状況を把握することができるものである。
【００４９】
尚、家計簿というきわめて個人的な情報を保護するために、サービスを受ける際には、サーバ３にＩＤと共に本人しか分からないパスワードを登録しておき、購入データ登録や家計簿閲覧の際には、パスワードを送信して、サーバ３に認証された場合にのみ登録又は閲覧可能とするのが望ましい。
【００５０】
第２のシステムの特徴として、家計簿作成処理をサーバ３が行い、携帯端末１は作成された家計簿を閲覧するのみとしているので、携帯端末１に特別な家計簿作成手段を設ける必要はなく、インターネット接続が可能なものであれば、第２のシステムへの利用者登録を行うことによって簡単にシステムを利用することができ、家計簿を表示できるものである。
【００５１】
次に、サーバ３の構成について図７を用いて説明する。図７は、第２のシステムのサーバ３の構成ブロック図である。
図７に示すように、第２のシステムのサーバ３には、携帯端末１から送信された購入情報を記憶している購入情報データベース３１と、家計簿作成の処理を行う処理部３２と、携帯端末１との通信を行う送受信部３３とが設けられている。
【００５２】
ここで、購入情報データベースに記憶されている情報について図８を用いて説明する。図８は、購入情報データベース３１に記憶されている情報を示す説明図である。
図８に示すように、購入情報データベース３１には、利用者毎に、ＩＤ（個人情報）と、当該ＩＤに対応して登録された購入情報が記憶されているものである。更に、購入情報に含まれるポイント対象商品毎のポイントを管理するエリアが設けられており、サーバ３がポイントの管理を行うようになっている。ポイントサービスについては後述する。
【００５３】
購入情報データベース３１への登録及び読み出しの処理は、処理部３２によって為されるものである。更に、利用者に対して他のサービスを行うために、利用者の携帯端末番号や、メールアドレスを登録しておいてもよく、サーバ３側から利用者に報知する場合に利用する。
【００５４】
次に、サーバ３の動作について説明する。
上述したように、サーバ３は、パスワードで認証された携帯端末１から家計簿閲覧の要求を受信した場合に、携帯端末１からの要求に従って、受信したＩＤに対応する購入情報を購入情報データベース３１から読み出して、指示に従って集計して家計簿を作成し、携帯端末１に送信する。
【００５５】
また、サーバ３への家計簿データの閲覧要求は携帯端末１に限らず、利用者がパスワード及びＩＤを入力すれば、自宅のパソコン等の端末から閲覧することも可能である。サーバ３では、閲覧要求の要求元が携帯端末１であるか通常のパソコンであるかを判断して、それぞれに応じた表示形式で出力するようにしている。
【００５６】
例えば、パソコンからの閲覧要求であれば、携帯端末１よりも広い表示面積にデータを表示できるので、通常のノート形式の家計簿の見開き分を１ページに表示して、今月分の家計状況の概略が分かるようにし、日付や項目が指定されると指定された日付の購入情報に基づいて、購入品目や金額や利用店名等を詳細に表示したり、項目が指定されると、当該項目の購入状況について詳細な情報を表示するといったことも可能である。
【００５７】
更に、サーバ３では購入情報データベース３１に購入情報を蓄積しているため、第１のシステムのように携帯端末１のメモリ１５に蓄積するのに比べて長期間分の家計データの蓄積が可能となり、項目毎にここ数ヶ月の支出の推移や、年単位の支出の比較や過去の同時期との比較一覧を表示することも考えられる。
【００５８】
これらは、端末（携帯端末１又はパソコン等）からの閲覧要求時にどのような表示形式で表示するかをメニューとして選択できるようにしておき、サーバ３が、端末からの選択に従ってプログラムを起動し、蓄積されたデータの中から特定の項目又は日付をキーとしてデータを読み出して集計し、予め用意されている表示画面のデータに組み込んで送信出力することで実現されるものである。
【００５９】
また、第２のシステムでは、家計簿を作成するだけでなく、利用者に対して別のサービスを付加することも可能である。
例えば、食費ついては、購入した店舗の形態や購入時間からコンビニエンスストアの弁当や飲食店での飲食代を「外食」とし、食材購入は自宅での調理とみなして、外食／自炊の割合や、朝食／昼食／夕食の食費の比や、１日あたりの平均値を算出して表示するといったことが考えられる。平均値が予め設定した標準値を超えた場合には利用者の携帯端末１又はパソコンにメールで注意を促すメッセージを通知することも考えられる。
【００６０】
また、サーバ３に家計を分析する手段を設けておき、利用者から入力された家族構成等の情報を記憶しておき、日々の家計簿のデータに基づいて家計の分析を行い、利用者に家計アドバイスを送信するようにしてもよい。例えば、１ヶ月分の家計簿の閲覧要求時に、コメントを付して送信したり、将来の予測としてライフステージに合わせたアドバイスを行うといったことが考えられる。
【００６１】
次に、購入情報に含まれるユーザフィールドの利用例について説明する。
ユーザフィールドは、上述したように店側が自由に使うことができるものであるが、ユーザフィールドを使う場合には、予めサーバ３にユーザフィールドに記憶する情報の種類及びそれに関する処理の仕方を登録しておく。
【００６２】
例えば、特定商品の販売促進のために一定数の商品を購入した客に懸賞に参加できるようにしたり、製品や賞品と交換できるようにする場合、レジスタ２の制御部２４が、図４に示した購入情報の第２のユーザフィールドに購入数又は購入金額に応じたポイントを記憶して客の携帯端末１に送信する。
【００６３】
更に、店は、レジスタ２又はＰＯＳシステム５を用いて、ネットワークを介してサーバ３に、予めポイントの対象となる商品（品名）と、それぞれのポイント対象商品毎に懸賞参加や賞品交換可能となる規定ポイント数を設定しておく。そして、サーバ３は、客から購入情報の登録を受ける度に、設定されたポイント対象商品があるかどうかをチェックして、あった場合にはそれぞれの商品ポイントを、購入情報データベース３１の当該利用者に対応したポイント情報に加算してして記憶しておく。
【００６４】
そして、ポイントが規定値に達した場合、懸賞への参加であれば、当該利用者がサーバ３へアクセスした際にＷｅｂ上の懸賞応募ページへのリンクを表示したり、予め登録された利用者の端末にメールを送信して懸賞応募可能となったことを報知する。
【００６５】
賞品との交換や割引の場合には、店及びサーバ３しか知り得ない規則性のあるデータを備えた電子的な交換券又は割引券を客の端末に送信しておく。客は、携帯端末１のメモリ１５に当該交換／割引券を記憶しておき、次にその店で購入する際に携帯端末１をレジスタ２の送受信部にかざして、ＩＤと共にメモリ１５に記憶された交換／割引券を読み出してレジスタ２に送受信部１１から送信する。
【００６６】
レジスタ２の制御部２４は、交換／割引券の正当性を確認した後で、商品価格を割り引き、割引したことを購入情報に記載して金額等を書き替え、更に、券を使用したことを示す情報を購入情報に記載する。例えば、負のポイントを該当商品の第２のユーザフィールドに保存して携帯端末１に送信するといった方法が考えられる。
また、携帯端末１からサーバ３にアクセスして、対象商品毎の現在のポイント残高を確認できるようにしてもよい。
【００６７】
更に、サーバ３は、ポイント監視を依頼した店に対して、定期的に利用者毎のポイント残高や商品毎のポイントの動向を報知して、対象商品の販売状況を報告する。これにより、店は販売促進活動の効果を確認することができ、当該商品を好んで購入している客層を把握でき、新たな販売戦略に活用することができるものである。
【００６８】
本発明の第２の実施の形態に係る家計簿作成システムによれば、携帯端末１がレジスタ２から受信した標準フォーマットの購入情報にＩＤを付してサーバ３に送信して登録し、サーバ３がデータベースにＩＤと購入情報とを対応付けて蓄積しておき、携帯端末１からＩＤを付した家計簿閲覧要求を受信すると、ＩＤに対応する購入情報を日付と品名と分類コードとに基づいて家計簿データを作成して携帯端末１に出力し、携帯端末１で家計簿を閲覧するようにしているので、携帯端末１に特別な家計簿作成手段を備えていなくても、携帯端末１を用いて家計簿を閲覧することができ、家計簿作成作業が不要となり、利便性を向上させることができる効果がある。
【００６９】
また、第２のシステムによれば、店がポイント対象商品に指定した商品が購入された場合に、レジスタ２が購入情報の当該対象商品の第２のユーザフィールドにポイントを記入し、サーバ３が客から購入情報の登録を受け付けるとＩＤ毎に蓄積しておき、ポイントが規定数に達した場合には携帯端末１に電子的な割引券を送信したり、店に定期的にポイントの動向を報告するようにしているので、客はポイントサービスが受けられると共に、店にとっては低コストで販売状況を把握することができ、今後の販売戦略に活用でき、システムの加盟店を増加させる効果がある。
【００７０】
次に、本発明の第３の実施の形態に係る家計簿作成システムについて説明する。
本発明の第３の実施の形態に係る家計簿作成システム（第３のシステム）は、第２のシステムの構成とほぼ同様であるが、店舗独自のＰＯＳ情報を標準データに変更するテーブルをサーバに設けたものであり、レジスタにおける処理を軽減するものである。従って、第３のシステムでは、店に設けられたレジスタに、購入情報をシステムの標準フォーマットに変換する変換手段がなくても構わないものである。
【００７１】
第３のシステムにおけるデータのやり取りについて図９を用いて説明する。図９は、本発明の第３の実施の形態に係る家計簿作成システム（第３のシステム）におけるデータのやり取りを示す説明図である。
図９に示すように、第３のシステムでは、店からサーバ３′に対して、店の識別情報と、独自のＰＯＳコードに対応した商品情報と、独自のＰＯＳコードからシステム標準の商品分類コードに変換するための変換テーブルをネットワークを介して送信しておく。
【００７２】
具体的には、店は、店舗の識別番号を付して、店舗独自の商品コードを、本システムの標準の品名及び商品分類コードに対応付けたコード変換テーブルを作成して、店の識別番号を付してサーバ３′に登録しておく。ここで、コード変換テーブルは、第１のシステム又は第２のシステムのレジスタ２のデータ変換部２２が備えているものと同様の機能を備えたものである。
店が、製造元が取得して商品に表示しているＪＡＮ（Ｊａｐａｎｅｓｅ　Ａｒｔｉｃｌｅ　Ｎｕｍｂｅｒ）コードのようなバーコードを用いている場合には、店の識別番号を付して、ＪＡＮコードと標準の品名及び商品分類コードを対応付けたコード変換テーブルをサーバ３′に登録しておく。
【００７３】
ここで、第３のシステムのサーバ３′の構成について図１０を用いて説明する。図１０は、第３のシステムのサーバ３′の構成ブロック図である。
図１０に示すように、第３のシステムのサーバ３′の構成は、図７に示した第２のシステムのサーバ３とほぼ同様の構成であるが、データベースとして、店独自の商品コードを標準の品名及び商品分類コードに変換するコード変換テーブルとを記憶するコード／商品分類データベース３４を備えている。
【００７４】
そして、客が店を利用した場合には、標準データへの変換手段を持たないレジスタ２′は独自のＰＯＳコードを品名フィールドに記載し、数量及び金額のデータを含む購入情報を作成して、先頭に識別符号を付して近距離無線通信で携帯端末１に送信する。
【００７５】
そして、携帯端末１では、受信した購入情報に基づいてレシートを表示するが、購入情報が標準フォーマットではないため、品名の表示はなく、日時と、金額及び数量、合計金額等が記載されたものとなる。
【００７６】
そして、携帯端末１を介して購入情報を受信したサーバ３′は、購入情報のデータの先頭に識別符号がある場合には、店の識別番号に対応するコード変換テーブル及び価格情報テーブルを参照して標準の品名、商品分類コード、及び購入時の価格を取得して、小計、税、合計を算出して購入情報を集計し、客のＩＤに対応して購入情報データベース３１に記憶する。
【００７７】
そして、サーバ３′は、第２のシステムのサーバ３と同様に、携帯端末１からの家計簿閲覧要求に応じて購入情報データベース３１から必要なデータを取り出し、家計簿データを作成して携帯端末１に出力するようになっている。
【００７８】
本発明の第３の実施の形態に係る家計簿作成システムによれば、サーバ３′が、コード／商品分類データベース３４に、店の識別番号毎に、店独自の商品コードをシステムの標準の品名及び商品コードに変換するコード変換テーブルを備え、レジスタ２′が、店の識別番号と店独自の商品コードと数量及び金額を含む購入情報を携帯端末１に送信し、サーバ３′が、携帯端末１から利用者のＩＤが付された購入情報を受信すると、店の識別番号に対応したコード変換テーブルを参照して品名、商品分類コードを記入して購入情報として購入情報データベース３１の当該利用者ＩＤに対応して記憶しておき、携帯端末１からの家計簿閲覧要求に応じて当該利用者の購入情報を購入日時や商品分類コードに従って集計し、家計簿データを作成して携帯端末１に出力するようにしているので、レジスタ２′が店独自の商品コードをシステムの標準の商品分類コードに変換する特別な変換部を持たなくてもシステムに参入して利用者へのサービスを向上させることができ、システムへの加盟店を増加させ、１店あたりのコストを低減することができる効果がある。
【００７９】
【発明の効果】
本発明によれば、購入された商品に対応する品名と商品分類情報と購入金額情報とを備えた購入情報を予め定められたデータ構造に変換するデータ変換部と、購入者の個人情報を受信して購入情報を対応する購入者の端末に送信する送受信部とを有するレジスタを備え、端末が、レジスタから受信した購入情報に基づいて表示を行い、又は購入した商品の品名と商品の購入金額を商品分類情報に従って分類した家計簿を作成して表示する端末である家計簿作成システムとしているので、購入者は、端末に店舗のレジスタから購入情報を受信すれば、購入明細を確認したり、自分で家計簿作成の作業を行うことなく端末上で家計簿を表示させて家計の状況を把握することができ、利便性を向上させることができる効果がある。
【００８０】
また、本発明によれば、端末とネットワークを介して接続し、端末から購入者の個人情報を付して送信された購入情報を受信して、購入情報を識別番号に対応して記憶し、端末から個人情報が付された家計簿閲覧要求を受信した場合に、個人情報に対応して記憶されている購入情報に基づいて、購入された商品の品名と前記商品の購入金額を商品分類情報に従って分類し集計した家計簿データを作成して、端末に送信するサーバを備え、端末が、サーバから送信された家計簿データを受信して家計簿データに基づいて家計簿を表示する家計簿作成システムとしているので、家計簿作成の処理をサーバで行うため携帯端末に特別な家計簿作成の手段を備えることなく携帯端末を用いて家計簿を閲覧でき、また、サーバで大量の購入情報を蓄積可能なため、長期間にわたって家計状況を管理することができる効果がある。
【００８１】
また、本発明によれば、購入者の個人情報を受信して、購入された商品に対応する店舗固有の識別情報と購入金額情報と購入した店舗を示す店舗情報を有する購入情報を、対応する購入者の端末に送信するレジスタと、端末とネットワークを介して接続し、端末から購入者の個人情報を付して送信された購入情報を受信して、購入情報を識別番号に対応して記憶すると共に、店舗情報と、店舗固有の商品の識別情報と、品名及び商品分類情報とを対応付けて記憶するデータベースを有し、端末から個人情報が付された家計簿閲覧要求を受信した場合に、個人情報に対応して記憶されている購入情報に基づいて、商品の識別情報と店舗情報とを参照してデータベースから対応する品名及び商品分類情報を特定し、品名と購入金額を商品分類情報に従って分類し集計した家計簿データを作成して、端末に送信するサーバとを備え、端末が、サーバから受信した家計簿データに基づいて家計簿を表示する端末である家計簿作成システムとしているので、店は、レジスタに、店舗固有の商品の識別情報をシステム標準の識別情報に変換して購入情報のデータ構造を整える手段を設けなくてもシステムに参加でき、加盟店を増加させることができ、店舗毎のコストを低減することができる効果がある。
【図面の簡単な説明】
【図１】本発明の第１の実施の形態に係る家計簿作成システムの概略構成を示す説明図である。
【図２】第１のシステムにおいて用いられる携帯端末１の構成を示す構成ブロック図である。
【図３】本発明の第１の実施の形態に係るレジスタ２の構成ブロック図である。
【図４】第１のシステムのレジスタ２から携帯端末１に送信される購入情報のデータフォーマットを示す説明図である。
【図５】本発明の第２の実施の形態に係る家計簿作成システム（第２のシステム）の構成ブロック図である。
【図６】第２のシステムにおける各構成部分のデータの授受を示す説明図である。
【図７】第２のシステムのサーバ３の構成ブロック図である。
【図８】購入情報データベース３１に記憶されている情報を示す説明図である。
【図９】本発明の第３の実施の形態に係る家計簿作成システム（第３のシステム）におけるデータのやり取りを示す説明図である。
【図１０】第３のシステムのサーバ３′の構成ブロック図である。
【符号の説明】
１…携帯電話、　２…レジスタ、　３…サーバ、　５…ＰＯＳシステム、　１１…送受信部、　１２…表示部、　１３…入力部、　１４…制御部、　１５…メモリ、　１６…スピーカ、　１７…通信部、　１８…マイク、　２１…送受信部、　２２…データ変換部、２３…入力部、　２４…制御部、　２５…記憶部、　２６…表示部、　２７…通信部、　３１…購入情報データベース、　３２…処理部、　３３…送受信部、　３４…コード／商品分類データベース３４、　４０…購入情報、４１…シリアルナンバーフィールド、　４２…日付フィールド、　４３…店舗フィールド、　４４…購入明細フィールド、　４５…合計フィールド、
４６…ユーザフィールド
【図１】
2004086298.tif 000003
【図２】
2004086298.tif 000004
【図３】
2004086298.tif 000005
【図４】
2004086298.tif 000006
【図５】
2004086298.tif 000007
【図６】
2004086298.tif 000008
【図７】
2004086298.tif 000009
【図８】
2004086298.tif 000010
【図９】
2004086298.tif 000011
【図１０】
2004086298.tif 000012